(57)【特許請求の範囲】
【請求項１】
配線基板の周縁に沿って間隔を隔てた位置から第１および第２の突出基板部分が延設され、
電気機器用基板に設けてある複数の電極端子の夫々に対して電気的に接続される配線端子が、前記突出基板部分の夫々に設けられているフレキシブル配線基板であって、
前記第１および第２の突出基板部分は、前記配線基板の複数の前記周縁のうちの同一の周縁に形成され、
前記第１および第２の突出基板部分は、同一の前記電気機器用基板に接続されるものであり、
前記配線基板は、前記第１および第２の突出基板部分の間の前記周縁から、前記第１突出基板部分と第２突出基板部分との間隔よりも幅の狭いスリット状の切り込み部が形成されているフレキシブル配線基板。
【請求項２】
前記切り込み部が、前記突出基板部分における一側縁の延長線に沿って形成されている請求項１記載のフレキシブル配線基板。
【請求項３】
前記突出基板部分の少なくとも一つが、前記電極端子に対する位置決め用の治具に係合可能な被係合部を備えている請求項１または２記載のフレキシブル配線基板。
【請求項４】
前記複数の突出基板部分が、前記配線端子が互いに逆の面に設けられている複数の突出基板部分からなる請求項１〜３のいずれか１項記載のフレキシブル配線基板。
【発明の詳細な説明】
【技術分野】
【０００１】
本発明は、配線基板の周縁に沿って間隔を隔てた位置から複数の突出基板部分が延設され、電気機器用基板に設けてある複数の電極端子の夫々に対して電気的に接続される配線端子が、前記突出基板部分の夫々に設けられているフレキシブル配線基板に関する。
【背景技術】
【０００２】
上記フレキシブル配線基板は、突出基板部分の夫々に設けてある配線端子が、例えばタッチパネル用基板などの電気機器用基板に設けてある複数の電極端子のうちの、対応する電極端子に異方導電性接着剤などの接着剤で電気的に接続される。
従来の上記フレキシブル配線基板は、配線基板の板面に沿う方向での複数の突出基板部分どうしの相対位置が固定されている（例えば、特許文献１参照。）。
【先行技術文献】
【特許文献】
【０００３】
【特許文献１】特許第３８５７２７８号公報
【発明の概要】
【発明が解決しようとする課題】
【０００４】
上記フレキシブル配線基板は、複数の電極端子どうしの電気機器用基板の板面に沿う方向での相対位置と、突出基板部分の夫々に設けられている配線端子どうしの配線基板の板面に沿う方向での相対位置とのズレが許容範囲内であれば、複数の突出基板部分の夫々に設けてある配線端子の全部を、電気機器用基板に設けてある対応する電極端子に対面させることができる。
しかしながら、配線基板の板面に沿う方向での複数の突出基板部分どうしの相対位置は固定されている。このため、前記相対位置どうしのズレが許容範囲を越えていると、一つの突出基板部分に設けてある配線端子を対応する電極端子に対面させることができても、残りの突出基板部分に設けてある配線端子の全部又は一部を、対応する電極端子に対面させることができず、それらの配線端子を対応する電極端子に電気的に接続することができなくなる問題がある。
この問題を解決するために、前記相対位置どうしのズレの許容範囲が大きくなるように電極端子又は配線端子の寸法を大きくすると、電気機器用基板における電極端子の配設領域又は突出基板部分が大きくなる欠点がある。
本発明は上記実情に鑑みてなされたものであって、電気機器用基板における電極端子の配設領域又は突出基板部分を大きくすることなく、複数の突出基板部分の夫々に設けてある配線端子の全部を対応する電極端子に電気的に接続し易いフレキシブル配線基板を提供することを目的とする。
【課題を解決するための手段】
【０００５】
本発明の第１特徴構成は、配線基板の周縁に沿って間隔を隔てた位置から第１および第２の突出基板部分が延設され、電気機器用基板に設けてある複数の電極端子の夫々に対して電気的に接続される配線端子が、前記突出基板部分の夫々に設けられているフレキシブル配線基板であって、前記第１および第２の突出基板部分は、前記配線基板の複数の前記周縁のうちの同一の周縁に形成され、前記第１および第２の突出基板部分は、同一の前記電気機器用基板に接続されるものであり、前記配線基板は、前記第１および第２の突出基板部分の間の前記周縁から、前記第１突出基板部分と第２突出基板部分との間隔よりも幅の狭いスリット状の切り込み部が形成されている点にある。
【０００６】
本構成のフレキシブル配線基板であれば、切り込み部を挟んで対向している配線基板部分どうしを配線基板の板面に沿う方向に相対変位させることができる。
したがって、突出基板部分の夫々に設けられている配線端子どうしの配線基板の板面に沿う方向での相対位置を修正して、複数の突出基板部分の夫々に設けてある配線端子の全部を、電気機器用基板に設けてある対応する電極端子に対面させ易い。
よって、電極端子又は配線端子の寸法を大きくすることなく、つまり、電気機器用基板における電極端子の配設領域又は突出基板部分を大きくすることなく、複数の突出基板部分の夫々に設けてある配線端子の全部を対応する電極端子に電気的に接続し易い。
また、本構成であれば、スリット状切り込み部の奥側の部位を支点に角変形容易となるから、配線端子が設けられた突出基板部分をスリット状の切り込み部の側に変位させ易い。
【０００７】
本発明の第２特徴構成は、前記切り込み部が、前記突出基板部分における一側縁の延長線に沿って形成されている点にある。
【０００８】
本構成のように、一側縁の延長線に沿って切り込み部を形成しておくことで、突出基板部分を、配線基板の板面に沿う方向にも板面に直交する方向にも変位させ易くなる。
したがって、突出基板部分の夫々に設けられている配線端子の相対位置を修正し易くなる。
【００１１】
本発明の第３特徴構成は、前記突出基板部分の少なくとも一つが、前記電極端子に対する位置決め用の治具に係合可能な被係合部を備えている点にある。
【００１２】
本構成であれば、位置決め用の治具に被係合部を係合させることにより、その被係合部を備えている突出基板部分を配線基板の板面に沿う方向に変位させ易い。
【００１３】
本発明の第４特徴構成は、前記複数の突出基板部分が、前記配線端子が互いに逆の面に設けられている複数の突出基板部分からなる点にある。
【００１４】
本構成であれば、電気機器用基板の表裏の夫々に電極端子を設けてある場合や、複数枚の電気機器用基板を互いに対向させて互いに対向する面の夫々に電極端子を設けてある場合などに、複数の突出基板部分の夫々に設けてある配線端子の全部を、電気機器用基板に設けてある対応する電極端子に対面させることができる。
【図面の簡単な説明】
【００１７】
【図１】（ａ）はタッチパネルの表面側を示す斜視図、（ｂ）はタッチパネルの裏面側を示す斜視図である。
【図２】（ａ）はフレキシブル配線基板の表面側を示す平面図、（ｂ）はフレキシブル配線基板の裏面側を示す平面図である。
【図３】フレキシブル配線基板の配線端子をタッチパネル用基板の電極端子に接続する手順の説明図である。
【図４】フレキシブル配線基板の配線端子とタッチパネル用基板の電極端子との接続構造を示す断面図である。
【図５】フレキシブル配線基板の第２実施形態を示し、（ａ）はフレキシブル配線基板の表面側を示す斜視図、（ｂ）は隣り合う突出基板部分の配線端子どうしの相対位置を修正した状態を示す斜視図である。
【発明を実施するための形態】
【００１８】
以下に本発明の実施の形態を図面に基づいて説明する。
〔第１実施形態〕
図１は、本発明によるフレキシブル配線基板Ａを用いた電気機器の一例としてのタッチパネルＢを示す。
タッチパネルＢは、静電容量型のセンサ電極２を備えたガラス又はＰＥＴ，ＰＥＮなどのポリエステル樹脂からなる一枚のパネル基板（電気機器用基板の一例）１を有している。
尚、本実施形態では一枚のパネル基板１を有しているタッチパネルＢを示すが、二枚以上のパネル基板１を貼り合わせてあるタッチパネルＢであってもよい。
【００１９】
センサ電極２は、パネル基板１の表面側に配設した複数のＸ列電極３ａ〜３ｃと、パネル基板１の裏面側に配設した複数のＹ列電極４ａ〜４ｄとを平面的に位置ずれするように、かつ、互いに直交するマトリックス状に配設して構成されている。
【００２０】
パネル基板１の表面側には、各Ｘ列電極３を覆うガラスやＰＥＴ樹脂などからなるカバーパネル（図示せず）が粘着剤を介して設けられている。
尚、カバーパネルに代えてハードコート層が設けられていてもよい。
【００２１】
そして、いずれかのＸ列電極３ａ〜３ｃといずれかのＹ列電極４ａ〜４ｄとの間のパネル基板１の表面側を指で触れると、そのときのＸ列電極３ａ〜３ｃとＹ列電極４ａ〜４ｄとの間の静電容量の変化量を測定して、パネル基板１の表面側における指が触れた位置を特定できるように構成されている。
【００２２】
Ｘ列電極３ａ〜３ｃの夫々は、パネル基板１の表面側縁部に沿って互いに平行に並設されたＸ列用電極端子５（５ａ〜５ｃ）にＸ列用配線６ａ〜６ｃで各別に接続され、Ｘ列電極３ａ〜３ｃ、Ｘ列用配線６ａ〜６ｃ及びＸ列用電極端子５（５ａ〜５ｃ）の夫々は、パネル基板１に蒸着又は塗布された銀等の金属膜で形成されている。
【００２３】
Ｙ列電極４ａ〜４ｄの夫々は、パネル基板１の裏面側縁部に沿って互いに平行に並設されたＹ列用電極端子７（７ａ〜７ｄ）にＹ列用配線８ａ〜８ｄで各別に接続され、Ｙ列電極４ａ〜４ｄ、Ｙ列用配線８ａ〜８ｄ及びＹ列用電極端子７（７ａ〜７ｄ）の夫々は、パネル基板１に蒸着又は塗布された銀等の金属膜で形成されている。
【００２４】
図２に示すように、フレキシブル配線基板Ａは、タッチパネルＢの信号処理用のＩＣ回路９が一側面に設けられた矩形状の配線基板１０と、ＩＣ回路９を制御装置などに接続する帯状ケーブル１１とを備え、矩形状の第１突出基板部分１２ａと矩形状の第２突出基板部分１２ｂとの一対の突出基板部分１２が、配線基板１０の周縁のうちの一側縁１３ａに沿って間隔を隔てた位置から延設されている。
【００２５】
第１突出基板部分１２ａと第２突出基板部分１２ｂの夫々には、パネル基板１に設けてある複数の電極端子５，７、つまり、複数のＸ列用電極端子５（５ａ〜５ｃ）と複数のＹ列用電極端子７（７ａ〜７ｄ）との夫々に対して図４に示すように異方導電性接着剤１４で電気的に接続される配線端子１５（１５ａ〜１５ｃ），１６（１６ａ〜１６ｄ）が設けられている。
配線端子１５（１５ａ〜１５ｃ），１６（１６ａ〜１６ｄ）は、突出基板部分１２に蒸着又は塗布された銀等の金属膜で形成されている。
【００２６】
複数のＸ列用電極端子５（５ａ〜５ｃ）の夫々に電気的に各別に接続される複数のＸ列用配線端子１５（１５ａ〜１５ｃ）は、第１突出基板部分１２ａの裏面側（ＩＣ回路９が設けられていない側）に、Ｘ列用電極端子５（５ａ〜５ｃ）の並設間隔と同じ間隔で互いに平行に並設されていて、ＩＣ回路９に電気的に接続されている。
【００２７】
複数のＹ列用電極端子７（７ａ〜７ｄ）の夫々に電気的に各別に接続される複数のＹ列用配線端子１６（１６ａ〜１６ｄ）は、第２突出基板部分１２ｂの表面側（ＩＣ回路９が設けられている側）に、Ｙ列用電極端子７（７ａ〜７ｄ）の並設間隔と同じ間隔で互いに平行に並設されていて、ＩＣ回路９に電気的に接続されている。
よって、第１突出基板部分１２ａと第２突出基板部分１２ｂとの二つの突出基板部分には、配線端子１５，１６が互いに逆の面に設けられている。
【００２８】
第１突出基板部分１２ａと第２突出基板部分１２ｂとの間の位置において、配線基板１０に、第１突出基板部分１２ａと第２突出基板部分１２ｂとの間の周縁である一側縁１３ａに至る切り込み部１８が形成されている。
【００２９】
切り込み部１８は、第１突出基板部分１２ａにおける、第２突出基板部分１２ｂの側の一側縁の延長線に沿って、切り込み部１８を挟んで対向する配線基板部分１７，１９どうしが離間しているスリット状に形成されている。
【００３０】
第１突出基板部分１２ａが、図３，図４に示すようにＸ列用電極端子５に対する位置決め用の治具２１に係合可能な被係合部２０を備えている。
被係合部２０は、第１突出基板部分１２ａの幅方向両側に突片２０ａを延設すると共に、その突片２０ａに位置決め用の治具２１に備えた係合ピンなどに係合させる係合孔２０ｂを形成して構成してある。
【００３１】
したがって、図３に示すように、第２突出基板部分１２ｂに配設してあるＹ列用配線端子１６の夫々を異方導電性接着剤１４で対応するＹ列用電極端子７に電気的に接続固定した後、Ｘ列用配線端子１５の夫々が対応するＸ列用電極端子５に異方導電性接着剤１４を挟んで対面するように、切り込み部１８を挟んで対向する配線基板部分１７，１９どうしを配線基板１０の板面に沿う方向に相対変位させて、突出基板部分１２ａ，１２ｂの夫々に設けられているＸ列用配線端子１５とＹ列用配線端子１６との配線基板１０の板面に沿う方向での相対位置を容易に修正することができる。
【００３２】
よって、電極端子５，７又は配線端子１５，１６の寸法を大きくすることなく、つまり、パネル基板１における電極端子５，７の配設領域又は突出基板部分１２（１２ａ，１２ｂ）を大きく（広く）することなく、突出基板部分１２ａ，１２ｂの夫々に設けてある配線端子１５，１６の全部を、パネル基板１に設けてある対応する電極端子５，７に異方導電性接着剤１４を挟んで対面させ易いと共に、異方導電性接着剤１４の使用量が増大することなく、突出基板部分１２ａ，１２ｂの夫々に設けてある配線端子１５，１６の全部を対応する電極端子５，７に異方導電性接着剤１４で電気的に接続し易い。
【００３３】
図４は図３におけるIV−IV線矢視断面図であって、フレキシブル配線基板Ａとパネル基板１との接続構造を示している。
第１突出基板部分１２ａに設けてあるＸ列用配線端子１５（１５ａ〜１５ｃ）の夫々が、異方導電性接着剤１４を挟んで対応するＸ列用電極端子５（５ａ〜５ｃ）の夫々に対面させて電気的に接続され、第２突出基板部分１２ｂに設けてあるＹ列用配線端子１６（１６ａ〜１６ｄ）の夫々が、異方導電性接着剤１４を挟んで対応するＹ列用電極端子７ａ〜７ｄの夫々に対面させて電気的に接続されている。
【００３４】
尚、異方導電性接着剤１４は、加熱しながら配線端子１５，１６と対応する電極端子５，７とを圧着させることにより互いに電気的に導通するように接着し、加圧されなかった部分は絶縁性を保持しているので、隣り合う配線端子１５ａ〜１５ｃ，１６ａ〜１６ｄどうし、及び、隣り合う電極端子５ａ〜５ｃ，７ａ〜７ｄどうしの絶縁は損なわれない。
【００３５】
〔第２実施形態〕
図５は、本発明によるフレキシブル配線基板Ａの別実施形態を示す。
図５（ａ）に示すように、第１突出基板部分１２ａと第２突出基板部分１２ｂとの二つの突出基板部分１２が、矩形状の配線基板１０の周縁のうちの互いに対向配置された一側縁１３ａ，１３ｂから互いに逆方向に延設されている。
【００３６】
第１突出基板部分１２ａと第２突出基板部分１２ｂは、延設方向に直交する方向、つまり、一側縁１３ａ，１３ｂに沿う方向で互いに位置をずらせて配設してあり、第１突出基板部分１２ａは第２突出基板部分１２ｂよりも大きく突出させてある。
【００３７】
Ｘ列用配線端子１５（１５ａ〜１５ｃ）の夫々も、Ｙ列用配線端子１６（１６ａ〜１６ｄ）の夫々も、突出基板部分１２の表面側（ＩＣ回路９が設けられている側）に並設されている。
【００３８】
配線基板１０には、第１突出基板部分１２ａにおける帯状ケーブル１１の側の一側縁の延長線に沿って、第１突出基板部分１２ａと帯状ケーブル１１との間の一側縁１３ｂに至る切り込み部１８が形成されている。
切り込み部１８は、その切り込み部１８を挟んで対向する配線基板部分１７，１９どうしが離間しているスリット状に形成されている。
【００３９】
そして、図５（ｂ）に示すように、切り込み部１８を挟んで対向している配線基板部分１７，１９どうしを配線基板１０の板面に沿う方向に相対変位させて、かつ、第１突出基板部分１２ａをその延設方向とは逆の方向、つまり、第２突出基板部分１２ｂを延設してある一側縁１３ａの側に向けて曲げるように折り曲げあるいは弾性変形させて、第１突出基板部分１２ａと第２突出基板部分１２ｂとの相対位置を修正することができるように構成してある。
その他の構成は第１実施形態と同様である。
【００４０】
〔その他の実施形態〕
１．本発明によるフレキシブル配線基板は、突出基板部分どうしの間の中間位置において、配線基板に切り込み部が形成されていてもよい。
２．本発明によるフレキシブル配線基板は、配線基板の周縁に沿って間隔を隔てて三つ以上の突出基板部分が延設されていてもよい。
３．本発明によるフレキシブル配線基板は、複数の切り込み部が形成されていてもよい。
４．本発明によるフレキシブル配線基板は、切り込み部を挟んで対向する配線基板部分どうしが互いに接触するように、切り込み部が形成されていてもよい。
５．本発明によるフレキシブル配線基板は、突出基板部分の全部が、電極端子に対する位置決め用の治具に係合可能な被係合部を備えていてもよい。
６．本発明によるフレキシブル配線基板は、抵抗膜方式のタッチパネル用基板に設けてある複数の電極端子の夫々に対して異方導電性接着剤で電気的に接続される配線端子が、突出基板部分の夫々に設けられているフレキシブル配線基板であってもよい。
【符号の説明】
【００４１】
１  タッチパネル用基板
５，７  電極端子
１０  配線基板
１２  突出基板部分
１３ａ，１３ｂ  周縁
１５，１６  配線端子
１８  切り込み部
２０  被係合部
２１  治具
【図１】
0005455034.tif 000002
【図２】
0005455034.tif 000003
【図３】
0005455034.tif 000004
【図４】
0005455034.tif 000005
【図５】
0005455034.tif 000006